(57)【要約】【課題】  各種操作に対するユーザの利用状況に応じて、その案内を出力することができる移動体端末を提供すること。【解決手段】  操作手段を備える移動体端末において、前記操作手段に対する複数種類の操作について、各種類の操作がされた回数、及び該種類の操作に関する案内データを記憶する案内データ記憶部４２と、案内データ記憶部４２に記憶される前記回数に従って、前記複数種類の操作について、それらの優先順を算出するデータ更新部４０と、前記優先順に従って、前記記憶手段に記憶される前記案内データを出力する案内部３６と、を含むことを特徴とする。【選択図】        図７
2005244903.tif 000002
【特許請求の範囲】
【請求項１】
操作手段を備える移動体端末において、
前記操作手段に対する複数種類の操作について、各種類の操作がされた回数、及び該種類の操作に関する案内データを記憶する記憶手段と、
前記記憶手段に記憶される前記回数に従って、前記複数種類の操作について、それらの優先順を算出する優先順算出手段と、
前記優先順に従って、前記記憶手段に記憶される前記案内データを出力する案内出力手段と、
を含むことを特徴とする移動体端末。
【請求項２】
操作手段を備える移動体端末において、
前記操作手段に対する複数種類の操作について、各種類の操作が行われた日時又は該日時からの経過時間、及び該種類の操作に関する案内データを記憶する記憶手段と、
前記記憶手段に記憶される前記日時又は前記経過時間に従って、前記複数種類の操作について、それらの優先順を算出する優先順算出手段と、
前記優先順に従って、前記記憶手段に記憶される前記案内データを出力する案内データ出力手段と、
を含むことを特徴とする移動体端末。
【請求項３】
請求項１又は２に記載の移動体端末において、
前記移動体端末は、表示手段を備えた携帯電話機であり、
前記案内データ出力手段は、前記案内データを着信待ち受け画面として前記表示手段に表示出力する、
ことを特徴とする移動体端末。
【請求項４】
請求項３に記載の移動体端末において、
前記携帯電話機は、前記表示手段が設けられた第１筐体と、前記表示手段を覆う第１位置と前記表示手段を露出させる第２位置とを移動可能な第２筐体と、を備え、
前記案内データ出力手段は、前記表示手段が露出される度に、前記優先順に従って、前記記憶手段に記憶される前記案内データを表示出力する、
ことを特徴とする移動体端末。
【請求項５】
請求項１に記載の移動体端末において、
前記回数が所定値に達した場合に、前記記憶手段に記憶される前記回数を所定割合に減じたものに更新する回数更新手段をさらに含む、
ことを特徴とする移動体端末。
【請求項６】
請求項５に記載の移動体端末において、
前記記憶手段は、前記操作手段に対する複数種類の操作について、各種類の操作がされた回数、及び該種類の操作に関する案内データに併せて、該種類の操作に応じて更新される他の変数を記憶し、
前記優先順算出手段は、前記他の変数にさらに従って、前記複数種類の操作について、それらの優先順を算出し、
前記回数更新手段は、前記回数が所定値に達した場合に、前記他の変数を併せて更新する、
ことを特徴とする移動体端末。
【請求項７】
請求項２に記載の移動体端末において、
前記日時から現在日時までの時間又は前記経過時間が所定時間に達した場合に、前記記憶手段に記憶される前記日時又は前記経過時間を、前記日時から現在日時までの時間又は前記経過時間が所定割合に減じられるよう更新する日時又は経過時間更新手段をさらに含む、
ことを特徴とする移動体端末。
【請求項８】
請求項７に記載の移動体端末において、
前記記憶手段は、前記操作手段に対する複数種類の操作について、各種類の操作が行われた日時又は該日時からの経過時間、及び該種類の操作に関する案内データに併せて、該種類の操作に応じて更新される他の変数を記憶し、
前記優先順算出手段は、前記他の変数にさらに従って、前記複数種類の操作について、それらの優先順を算出し、
前記日時又は経過時間更新手段は、前記日時から現在日時までの時間又は前記経過時間が所定時間に達した場合に、前記他の変数を併せて更新する、
ことを特徴とする移動体端末。
【請求項９】
操作手段を備える移動体端末において、
前記操作手段に対する複数種類の操作について、各種類の操作がされた回数、該種類の操作が行われた日時又は該日時からの経過時間、及び該種類の操作に関する案内データを記憶する記憶手段と、
前記複数種類の操作について、それらの優先順を、前記記憶手段に記憶される前記回数が高いものほど該優先順が低く、前記記憶手段に記憶される前記日時から現在日時までの時間又は前記経過時間が長いほど該優先度が高くなるよう算出する優先順算出手段と、
前記優先順に従って、前記記憶手段に記憶される前記案内データを出力する案内出力手段と、
前記記憶手段に記憶される前記回数と前記日時又は前記時間とに応じて、該回数と前記日時又は前記時間とをいずれも初期値に更新する更新手段と、
を含むことを特徴とする移動体端末。
【請求項１０】
操作手段を備える情報処理装置において、
前記操作手段に対する複数種類の操作について、各種類の操作がされた回数、及び該種類の操作に関する案内データを記憶する記憶手段と、
前記記憶手段に記憶される前記回数に従って、前記複数種類の操作について、それらの優先順を算出する優先順算出手段と、
前記優先順に従って、前記記憶手段に記憶される前記案内データを出力する案内出力手段と、
を含むことを特徴とする情報処理装置。
【請求項１１】
操作手段を備える情報処理装置において、
前記操作手段に対する複数種類の操作について、各種類の操作が行われた日時又は該日時からの経過時間、及び該種類の操作に関する案内データを記憶する記憶手段と、
前記記憶手段に記憶される前記日時又は前記経過時間に従って、前記複数種類の操作について、それらの優先順を算出する優先順算出手段と、
前記優先順に従って、前記記憶手段に記憶される前記案内データを出力する案内データ出力手段と、
を含むことを特徴とする情報処理装置。
【請求項１２】
操作手段に対する複数種類の操作について、各種類の操作がされた回数、及び該種類の操作に関する案内データを記憶手段に記憶させるステップと、
前記記憶手段に記憶される前記回数に従って、前記複数種類の操作について、それらの優先順を算出するステップと、
前記優先順に従って、前記記憶手段に記憶される前記案内データを出力するステップと、
を含むことを特徴とする操作案内出力方法。
【請求項１３】
操作手段に対する複数種類の操作について、各種類の操作が行われた日時又は該日時からの経過時間、及び該種類の操作に関する案内データを記憶手段に記憶するステップと、
前記記憶手段に記憶される前記日時又は前記経過時間に従って、前記複数種類の操作について、それらの優先順を算出するステップと、
前記優先順に従って、前記記憶手段に記憶される前記案内データを出力するステップと、
を含むことを特徴とする操作案内出力方法。
【発明の詳細な説明】
【技術分野】
【０００１】
本発明は移動体端末、情報処理装置及び操作案内出力方法に関し、特にユーザの実際の使用状況に応じて操作案内を表示する技術に関する。
【背景技術】
【０００２】
各種情報処理装置においては、紙媒体による操作案内だけでなく、実機上でもユーザが必要に応じて操作案内を受けられるように、例えばヘルプ等と呼ばれる操作案内画面を出力できるようになっていることが多い。こうした操作案内画面によれば、ユーザは紙媒体のマニュアル等を紐解くことなく、必要な操作方法を知得することができる。さらに進んで、ユーザの参照状況に応じて操作案内情報の出力する技術として、下記特許文献に記載のヘルプ機能制御システムも提案されている。
【特許文献１】特開２００１−１１７６８８号公報
【発明の開示】
【発明が解決しようとする課題】
【０００３】
しかしながら、上記ヘルプ機能制御システムは操作案内情報の参照状況に応じて情報出力を行うものであり、従来の操作案内方法は、いずれもユーザが十分に把握していない操作に関する操作案内を優先的に出力して、それを紹介するものとなっておらず、便利な操作が用意されていても、ユーザに知られないままとなってしまう虞があった。
【０００４】
本発明は上記課題に鑑みてなされたものであって、その目的は、各種操作に対するユーザの利用状況に応じて、その案内を出力することができる移動体端末、情報処理装置及び操作案内出力方法を提供することにある。
【課題を解決するための手段】
【０００５】
上記課題を解決するために、本発明に係る移動体端末は、操作手段を備える移動体端末において、前記操作手段に対する複数種類の操作について、各種類の操作がされた回数、及び該種類の操作に関する案内データを記憶する記憶手段と、前記記憶手段に記憶される前記回数に従って、前記複数種類の操作について、それらの優先順を算出する優先順算出手段と、前記優先順に従って、前記記憶手段に記憶される前記案内データを出力する案内出力手段と、を含むことを特徴とする。
【０００６】
また、本発明に係る情報処理装置は、操作手段を備える情報処理装置において、前記操作手段に対する複数種類の操作について、各種類の操作がされた回数、及び該種類の操作に関する案内データを記憶する記憶手段と、前記記憶手段に記憶される前記回数に従って、前記複数種類の操作について、それらの優先順を算出する優先順算出手段と、前記優先順に従って、前記記憶手段に記憶される前記案内データを出力する案内出力手段と、を含むことを特徴とする。
【０００７】
また、本発明に係る操作案内出力方法は、操作手段に対する複数種類の操作について、各種類の操作がされた回数、及び該種類の操作に関する案内データを記憶手段に記憶させるステップと、前記記憶手段に記憶される前記回数に従って、前記複数種類の操作について、それらの優先順を算出するステップと、前記優先順に従って、前記記憶手段に記憶される前記案内データを出力するステップと、を含むことを特徴とする。
【０００８】
本発明では、複数種類の操作について、各種類の操作がされた回数を記憶しており、この回数にしたがって、複数種類の操作について、それらの優先順を算出している。そして、この優先順にしたがって案内データを出力するようにしている。こうして、本発明によれば、各種操作に対するユーザの利用回数に応じて案内出力をすることができる。
【０００９】
また、本発明に係る移動体端末は、操作手段を備える移動体端末において、前記操作手段に対する複数種類の操作について、各種類の操作が行われた日時又は該日時からの経過時間、及び該種類の操作に関する案内データを記憶する記憶手段と、前記記憶手段に記憶される前記日時又は前記経過時間に従って、前記複数種類の操作について、それらの優先順を算出する優先順算出手段と、前記優先順に従って、前記記憶手段に記憶される前記案内データを出力する案内データ出力手段と、を含むことを特徴とする。
【００１０】
また、本発明に係る情報処理装置は、操作手段を備える情報処理装置において、前記操作手段に対する複数種類の操作について、各種類の操作が行われた日時又は該日時からの経過時間、及び該種類の操作に関する案内データを記憶する記憶手段と、前記記憶手段に記憶される前記日時又は前記経過時間に従って、前記複数種類の操作について、それらの優先順を算出する優先順算出手段と、前記優先順に従って、前記記憶手段に記憶される前記案内データを出力する案内データ出力手段と、を含むことを特徴とする。
【００１１】
また、本発明に係る操作案内出力方法は、操作手段に対する複数種類の操作について、各種類の操作が行われた日時又は該日時からの経過時間、及び該種類の操作に関する案内データを記憶手段に記憶するステップと、前記記憶手段に記憶される前記日時又は前記経過時間に従って、前記複数種類の操作について、それらの優先順を算出するステップと、前記優先順に従って、前記記憶手段に記憶される前記案内データを出力するステップと、を含むことを特徴とする。
【００１２】
本発明では、複数種類の操作について、各種類の操作が行われた日時又は該日時からの経過時間を記憶しており、この日時又は経過時間にしたがって、複数種類の操作について、それらの優先順を算出している。そして、この優先順にしたがって案内データを出力するようにしている。こうして、本発明によれば、各種操作に対するユーザの利用状況に応じて案内出力をすることができる。
【００１３】
また、本発明の一態様では、前記移動体端末は、表示手段を備えた携帯電話機であり、前記案内データ出力手段は、前記案内データを着信待ち受け画面として前記表示手段に表示出力する。こうすれば、携帯電話の着信待ち受け画面において、操作に関する案内を出力することができるようになる。
【００１４】
この態様では、前記携帯電話機は、前記表示手段が設けられた第１筐体と、前記表示手段を覆う第１位置と前記表示手段を露出させる第２位置とを移動可能な第２筐体と、を備え、前記案内データ出力手段は、前記表示手段が露出される度に、前記優先順に従って、前記記憶手段に記憶される前記案内データを表示出力するようにしてもよい。こうすれば、第１筐体の表示手段を露出させる場合に、ユーザは案内を見ることができるようになる。
【００１５】
本発明の一態様では、前記回数が所定値に達した場合に、前記記憶手段に記憶される前記回数を所定割合に減じたものに更新する回数更新手段をさらに含むようにしてもよい。こうすれば、複数種類の操作について、それら操作がされた回数の順位を変えないようにしつつ、前記記憶手段の内容を更新することができる。
【００１６】
この場合、前記記憶手段は、前記操作手段に対する複数種類の操作について、各種類の操作がされた回数、及び該種類の操作に関する案内データに併せて、該種類の操作に応じて更新される他の変数を記憶し、前記優先順算出手段は、前記他の変数にさらに従って、前記複数種類の操作について、それらの優先順を算出し、前記回数更新手段は、前記回数が所定値に達した場合に、前記他の変数を併せて更新するようにしてもよい。こうすれば、優先順の基礎となる前記他の変数を併せて更新することができる。
【００１７】
また、本発明の一態様では、前記日時から現在日時までの時間又は前記経過時間が所定時間に達した場合に、前記記憶手段に記憶される前記日時又は前記経過時間を、前記日時から現在日時までの時間又は前記経過時間が所定割合に減じられるよう更新する日時又は経過時間更新手段をさらに含むようにしてもよい。こうすれば、複数種類の操作について、前記記憶手段に記憶される前記日時から現在日時までの時間又は経過時間の順位を変えないようにしつつ、前記記憶手段の内容を更新することができる。
【００１８】
この場合、前記記憶手段は、前記操作手段に対する複数種類の操作について、各種類の操作が行われた日時又は該日時からの経過時間、及び該種類の操作に関する案内データに併せて、該種類の操作に応じて更新される他の変数を記憶し、前記優先順算出手段は、前記他の変数にさらに従って、前記複数種類の操作について、それらの優先順を算出し、前記日時又は経過時間更新手段は、前記日時から現在日時までの時間又は前記経過時間が所定時間に達した場合に、前記他の変数を併せて更新するようにしてもよい。こうすれば、優先順の基礎となる前記他の変数を併せて更新することができる。
【００１９】
また、本発明に係る移動体端末は、操作手段を備える移動体端末において、前記操作手段に対する複数種類の操作について、各種類の操作がされた回数、該種類の操作が行われた日時又は該日時からの経過時間、及び該種類の操作に関する案内データを記憶する記憶手段と、前記複数種類の操作について、それらの優先順を、前記記憶手段に記憶される前記回数が高いものほど該優先順が低く、前記記憶手段に記憶される前記日時から現在日時までの時間又は前記経過時間が長いほど該優先度が高くなるよう算出する優先順算出手段と、前記優先順に従って、前記記憶手段に記憶される前記案内データを出力する案内出力手段と、前記記憶手段に記憶される前記回数と前記日時又は前記時間とに応じて、該回数と前記日時又は前記時間とをいずれも初期値に更新する更新手段と、を含む。こうすれば、案内データの出力に用いられる前記優先順を算出する際の基礎となる前記回数と前記日時又は前記経過時間とを好適に初期化できるようになる。
【発明を実施するための最良の形態】
【００２０】
以下、本発明の実施形態について図面に基づき詳細に説明する。
【００２１】
図１は、本発明の実施形態に係る携帯電話機（情報処理装置であり、移動体端末である。）のハードウェア構成を示す図である。同図に示すように、携帯電話機１０は、入力部１２、通信部１４、制御部１６、記憶部１８及び出力部２０を含んで構成されている。入力部１２には、携帯電話機１０に設けられたダイヤルキー等の操作部及び電源ボタンの操作内容、あるいは二つ折り式の携帯電話機の場合には、その開閉状態が入力されるようになっている。入力部１２にはマイクが含まれてよい。制御部１６は、例えばＣＰＵを中心に構成されており、所定プログラムにしたがって、当該携帯電話機１０の各部を制御する。通信部１４は、公知の無線通信装置を含んで構成されており、制御部１６からの指示にしたがって、音声通信やデータ通信を行うようになっている。記憶部１８は、例えばＲＡＭやＲＯＭ等の各種データ記憶手段を含んで構成されており、ここでは、特に携帯電話機１０の各種操作に関する案内データ、及び案内本文のテキストデータを記憶している。また、この案内データを出力する際に用いられる優先度テーブルも記憶している。出力部２０は、液晶表示装置等の表示出力手段を含んで構成されている。その他、ＬＥＤやスピーカー等の出力手段も出力部２０に含まれてよい。
【００２２】
図２は、携帯電話機１０の外観を示す斜視図である。同図に示すように、携帯電話機１０は二つ折り式の電話機であり、第１筐体２６と第２筐体２８とが、ヒンジ２５により開閉可能に連結されている。第１筐体２６は略平板状に形成されており、その一面に液晶表示装置２４が設けられている。また、第２筐体２８も、ほぼ同じ大きさの平板状に形成されており、その一面にダイヤルキー等のボタン群２２が設けられている。そして、ヒンジ２５により、第１筐体２６を第２筐体２８を重ね合わせるよう移動させると（閉じると）、液晶表示装置２４は、第２筐体２８により覆われるようになっている。逆に、第１筐体を第２筐体２８から離れる方向に移動させると、液晶表示装置２４が露出するようになっている。
【００２３】
本実施形態においては、携帯電話機１０において、各種操作案内がそれら操作の実際の利用状況に沿った形で出力されるようになっている。
【００２４】
図３及び図４は、液晶表示装置２４に表示される操作案内画面の一例を示す図である。まず図３に示すように、携帯電話機１０では、ボタン群２２に対する操作入力にしたがって、液晶表示装置２４に操作案内の項目リストが表示されるようになっている。この項目リストにしたがって、いずれかの案内項目をユーザがボタン群２２を用いて選択すると、その選択項目に対応するデータの詳細（上記案内本文のテキストデータ）が、図４に示すように液晶表示装置２４の全面に表示されるようになっている。また、携帯電話機１０は、第１筐体２６及び第２筐体２８の開閉状態を検知する手段を備えている。そして、開状態の場合、すなわち第２筐体２８が第１筐体２６に備えられた液晶表示装置２４を露出させる位置となった場合には、同液晶表示装置２４に操作案内を表示出力するようになっている。この場合、どの種類の操作について操作案内を出力するかは、後述するように各種類の操作について算出される優先度にしたがって決定されるようになっている。
【００２５】
図５は、以上のような操作案内を実現するために、記憶部１８に記憶される案内データの一例を示す図である。同図に示すように、この案内データは操作ＩＤと、テキストパスと、使用回数ｎと、前回使用日時ｔと、重要度ｉとを、互いに関連付けて記憶するものである。操作ＩＤは携帯電話機１０に用意された各種類の操作を識別する情報である。テキストパスは、操作ＩＤによって特定される操作に関する案内本文のテキストデータの記憶場所を示すデータである。なお、ここでは、案内はテキスト（文字列データ）により行われるものとするが、画像を用いてもよし、音声を用いてもよい。使用回数ｎは、操作ＩＤによって特定される操作がなされた回数を示すデータである。この使用回数ｎは、後述するように適宜初期化或いは更新されるようになっている。前回使用日時ｔは、操作ＩＤにより特定される操作をユーザが前回使用した日付及び時刻を示すデータである。重要度ｉは、操作ＩＤにより特定される操作の重要度を示す値である。ここで、操作ＩＤ、テキストパス、重要度ｉについては、あらかじめ設定された固定値が用いられる。一方、使用回数ｎ及び前回使用日時ｔについては、時間経過およびユーザが実際にボタン群２２に対して行った操作内容に応じて、適宜更新或いは初期化されるようになっている。
【００２６】
図６は、記憶部１８に記憶される優先度テーブルの一例を示す図である。同図に示すように、この優先度テーブルは操作ＩＤ及び優先度ｐを互いに関連付けて記憶するものであり、優先度ｐの降順に並び替えがされており、同テーブルにしたがって、上から順に操作ＩＤを取得すると、優先度ｐが高いものから順に取得することができるようになっている。ここで、優先度ｐは次式（１）にしたがって算出される。
（数１）
ｐ＝ａ×ｉ＋ｂ×ｔ’−ｃ×ｎ    ・・・（１）
【００２７】
ここで、ａ，ｂ，ｃは、あらかじめ用意された定数であり、それぞれ優先度ｐに対する重要度ｉの影響度、経過時間ｔ’の影響度、使用回数ｎの影響度を示している。また、ｉ及びｎは、図５に示される使用回数ｎ及び重要度ｉを示している。また、経過時間ｔ’は、図５に示される案内データに含まれる前回使用日時ｔから現在日時（当該優先度ｐを算出する際の日時）までの時間を示している。
【００２８】
ここで、携帯電話機１０に設けられる各種機能について説明する。図７は、携帯電話機１０に設けられている各種機能を示す機能ブロック図である。これらに示される機能は、制御部１６において記憶部１８に記憶された所定の制御プログラムを実行することにより実現されている。同図に示すように、携帯電話機１０は、機能的には、操作部３０、操作処理部３４、データ更新部４０、計時部３８、筐体開閉検知部３２、案内部３６、案内データ記憶部４２、表示優先度記憶部４４、データリセット部４６を含んで構成されている。操作部３０は、入力部１２のボタン群２２を中心として構成されており、ユーザが携帯電話機１０に対して行った各種操作を検知し、その内容を操作処理部３４及び案内部３６に供給する。操作処理部３４では、操作部３０から供給される操作内容にしたがって、携帯電話機１０の動作を制御する。このとき、データ更新部４０に対して、データ更新を指示する。また、筐体開閉検知部３２は、第１筐体２６及び第２筐体２８の開閉状態を検知する。そして、この開閉状態は、案内部３６に供給される。案内部３６では、筐体が開状態の場合、すなわち液晶表示装置２４が露出した状態においては、該液晶表示装置２４に図４に示すような操作案内を表示出力する。このとき、案内部３６は、操作案内を着信待ち受け画面として表示するようになっている。このため、多くの場面において、ユーザは操作案内を受けることができる。案内部３６では、この着信待ち受け画像として表示する案内の種類を、表示優先度記憶部４４に記憶された優先度テーブルにしたがって決定するようになっている。具体的には、優先度テーブルにおいて、優先度ｐが高いものから順に所定個数を着信待ち受け画面の対象とし、筐体開閉検知部３２から筐体が開いたことの通知がなされる度に、優先度ｐが一番高い操作ＩＤに対応する操作案内を着信待ち受け画面として出力するようになっている。優先度ｐの順に着信待ち受け画面として出力される操作案内を選択するようにしてもよい。あるいは、筐体が開いた通知がなされる毎に優先度ｐが高いものから順に、順次異なる操作ＩＤに対応する操作案内を出力してもよい。
【００２９】
さらに案内部３６は、操作部３０から、操作案内を行うべき旨の操作内容が入力されると、その操作に応じて、図３及び図４に例示した操作案内画面を出力する。このときも、表示優先度記憶部４４に記憶される優先度テーブル及び案内データ記憶部４２に記憶される案内データにしたがって案内出力がなされる。
【００３０】
案内データ記憶部４２は、記憶部１８によって実現されており、図５に既に示した案内データを記憶している。案内データ記憶部４２の記憶内容は、データ更新部４０及びデータリセット部４６によって更新される。表示優先度記憶部４４は、記憶部１８によって構成されており、図６に既に示された優先度テーブルを記憶している。優先度テーブルは、データ更新部４０によって作成されるようになっている。
【００３１】
データ更新部４０は、操作処理部３４からデータ更新の指示が入力されると、それに応じて、案内データ記憶部４２に記憶される案内データ及び表示優先度記憶部４４に記憶される優先度テーブルを更新する。具体的には、操作処理部３４から入力される指示には、操作部３０にて行われた操作を識別する操作ＩＤが含まれるようになっている。そして、案内データ記憶部４２にアクセスし、その操作ＩＤに対応する使用回数ｎを１だけ増やす（インクリメントする）ようにしている。さらに、データ更新部４０は、計時部（クロック）３８から現在日時を取得し、その値を案内データ記憶部４２に記憶される案内データにおいて、指示に含まれていた操作ＩＤに対応する前回使用日時として記憶する。そして、すべての操作ＩＤについて、上記式（１）にしたがって、優先度ｐを算出し、それを優先度ｐの降順にソートすることにより、優先度テーブルを作成し、それを表示優先度記憶部４４に格納する。こうして、表示優先度記憶部４４の記憶内容を更新するようにしている。
【００３２】
一方でデータリセット部４６は、案内データ記憶部４２に記憶される使用回数ｎの１つが上限値に達した時、その値を所定割合に減ずるよう該使用回数ｎを更新するようにしている。このとき、すべての操作ＩＤの使用回数ｎに対して、同様の処理が施される。さらに、すべての操作ＩＤについて、前回使用日時ｔも更新処理が施される。この処理では、前回使用日時から現在日時までの時間（経過時間ｔ’）が算出され、この経過時間が所定割合（ここでは半分）になるよう、前回使用日時ｔがそれぞれ更新されるようになっている。本実施形態では、使用回数ｎと経過時間ｔ’がすべての操作ＩＤについて一律に所定割合だけ減じるよう、使用回数ｎと前回使用日時ｔを更新するようにしているので、案内データの更新後も、優先度ｐの順序は変化しないようになっている。こうして、表示優先度が急変しないようにしている。データリセット部４６は、さらに前回使用日時ｔが現在日時から所定時間以上古いものとなってしまった場合に、同様にして使用回数ｎ及び経過時間ｔ’がすべての操作ＩＤについて所定割合に減ずるよう、使用回数ｎ及び前回使用日時ｔを更新するようにしている。また、所定時間毎に案内データ記憶部４２の記憶内容を監視し、全操作ＩＤについて、使用回数ｎ及び前回使用日時ｔが次式（２）に示す関係を満足しているか否かを判断し、満足していない場合には使用回数ｎ及び前回使用日時ｔをいずれも初期値に戻すようにしている。ここで使用回数ｎの初期値は０であり、前回使用日時ｔの初期値はヌル値（ＮＵＬＬ）である。前回使用日時ｔの初期値は初期化時の現在日時であってもよい。また、式（２）のｋは定数である。
（数２）
ｂ×ｔ‘−ｃ×ｎ＜ｋ    ・・・（２）
【００３３】
以下、携帯電話機１０の動作について、フロー図に基づき、さらに詳細に説明する。
【００３４】
図８は、携帯電話機１０における待ち受け画面表示処理を示すフロー図である。同図に示される処理は、筐体開閉検知部３２により、第１筐体２６及び第２筐体２８が開状態となったことが案内部３６に通知された場合に、該案内部３６により実行されるものである。この処理では、まず案内部３６が現在優先順位を読み出す（Ｓ１０１）。すなわち、案内部３６では、待ち受け画面として表示すべき操作案内が、優先度テーブルにおいて何位のものであるかを記憶しており、この内容を読み出す。次に、Ｓ１０１で読み出される現在優先順位に対応する操作ＩＤを表示優先度記憶部４４に記憶されている優先度テーブルから読み出す（Ｓ１０２）。その後、Ｓ１０２において読み出された操作ＩＤに対応するテキストパスを、案内データ記憶部４２に記憶されている案内データから読み出す（Ｓ１０３）。そして、Ｓ１０３で読み出されたテキストパスにしたがって操作案内を表すテキストデータを読み出し、それを待ち受け画面として設定する（Ｓ１０４）。その後、案内部３６は、該案内部３６に記憶されている現在優先順位を更新する（Ｓ１０５）。例えば、優先順位が１〜Ｎまでの範囲で待ち受け画面として表示する操作案内を決定する場合には、現在優先順位をＮになるまで順に増加させ、Ｎ＋１となる場合には、再びＮに戻すようにしてもよい。あるいは、優先順位１位乃至Ｎ位の範囲で、ランダムに現在優先順位を決定してもよい。
【００３５】
以上のようにすれば、待ち受け画面として、ユーザの操作の利用状況に応じて、待ち受け画面として操作案内を表示することができるようになる。
【００３６】
図９は、データ更新部４０による案内データ更新処理を示すフロー図である。この処理では、まず操作案内の対象となる操作がされたか否かを監視する（Ｓ２０１）。具体的には、操作処理部３４からデータ更新処理の指示がされた場合に対象操作がされたと判断する。対象操作がされたと判断された場合には、まず計時部３８から現在日時を取得する（Ｓ２０２）。そして、この現在日時を、操作処理部３４から入力される操作ＩＤに対応する前回使用日時として、案内データ記憶部４２に書き込む（Ｓ２０３）。さらに、同操作ＩＤに対応する使用回数ｎを１だけ増加させる（Ｓ２０４）。そして、このとき使用回数ｎが所定値を超えた場合には（Ｓ２０５）、データリセット部４６に案内データのリセットを指示する（Ｓ２０６）。一方、使用回数ｎが所定値以下であれば、Ｓ２０６の処理はスキップする。その後、データ更新部４０は、表示優先度記憶部４４の記憶内容を更新する（Ｓ２０７）。
【００３７】
以上のようにして、操作案内の対象となる操作がされた場合に、その操作に関する案内データのレコードを更新することができる。また、これに合わせて、表示優先度記憶部４４の記憶内容も更新することができる。
【００３８】
図１０は、図９のＳ２０６で行われるデータリセット部４６によるリセット処理を示すフロー図である。同図に示すように、この処理ではまず操作ＩＤを表す変数に００１を設定する（Ｓ３０１）。次に、データリセット部４６は計時部３８から現在日時を取得する（Ｓ３０２）。さらに、案内データ記憶部４２から操作ＩＤに対応する前回使用日時を読み出す（Ｓ３０３）。そして、Ｓ３０２で取得される現在日時からＳ３０３で読み出される前回使用日時を減算し、それにより経過時間ｔ’を算出する（Ｓ３０４）。そして、こうして算出される経過時間ｔ’にα％を乗じ、これにより経過時間ｔ’を所定割合に減じる（Ｓ３０５）。さらに、データリセット部４６は、Ｓ３０２で取得される現在日時からＳ３０５で算出された経過時間ｔ’の更新値を減算する（Ｓ３０６）。そして、データリセット部４６は、案内データ記憶部４２にアクセスし、Ｓ３０６で算出される値を操作ＩＤに対応付けて、前回使用日時の欄に格納する（Ｓ３０７）。こうして、前回使用日時を更新している。すなわち、上記Ｓ３０２乃至Ｓ３０７の処理によれば、前回使用日時ｔから現在日時までの時間が所定割合（ここではα％）となるよう前回使用日時を更新することができる。
【００３９】
データリセット部４６では、その後案内データ記憶部４２から操作ＩＤに対応する使用回数ｎを読み出す（Ｓ３０８）。そして、その使用回数ｎにα％を乗じ、これにより使用回数ｎを所定割合に減じている（Ｓ３０９）。そして、Ｓ３０９で得られる更新後の使用回数ｎを案内データ記憶部４２に、操作ＩＤに対応付けて格納する（Ｓ３１０）。こうして、使用回数ｎを更新している。
【００４０】
データリセット部４６は、その後操作ＩＤが上限値であるか否かを判断し（Ｓ３１１）操作ＩＤが上限値に達していなければ、操作ＩＤを１だけ増加させ（Ｓ３１２）、再びＳ３０２の処理を実行する。一方、操作ＩＤが上限値に達していれば、リセット処理を終了する。
【００４１】
以上の処理によれば、優先度ｐに影響を与える変数である前回使用日時ｔ及び使用回数ｎを同時に、使用回数ｎ及び経過時間ｔ’が所定割合となるようにして変更するので、操作の優先度ｐに変更を生じさせずに済む。
【００４２】
図１１は、データ更新部４０による優先度更新処理を示すフロー図である。同図に示す処理は、図９に示されるＳ２０７の処理に対応している。
【００４３】
この処理では、まずデータ更新部４０が計時部３８から現在日時を取得する（Ｓ４０１）。そして、案内データ記憶部４２に記憶される、全操作ＩＤに対応する前回使用日時をＳ４０１で取得される現在日時からそれぞれ減算し、すべての操作ＩＤについて経過時間を算出する（Ｓ４０２）。そして、すべての操作ＩＤについて、案内データ記憶部４２の記憶内容、及びＳ４０２で算出された結果に基づき、上記式（１）にしたがって優先度ｐを取得する（Ｓ４０３）。そして、優先度ｐの降順に操作ＩＤをソートし、これを表示優先度記憶部４４に格納する（Ｓ４０４）。
【００４４】
以上の処理によれば、案内データ記憶部４２の記憶内容に応じて優先度を算出し、その降順で操作ＩＤを並べて記憶することができる。
【００４５】
図１２は、データリセット部４６によるリセット判定処理を示すフロー図である。この処理は、例えば、所定時間毎（例えば一時間毎、一日毎、一週間毎など）に行われるものである。この処理では、まず操作ＩＤを表す変数に００１がセットされる（Ｓ５０１）。次に、データリセット部４６は、計時部３８から現在日時を取得する（Ｓ５０２）。次に、案内データ記憶部４２に記憶される案内データから、操作ＩＤに対応する前回使用日時ｔを読み出す（Ｓ５０３）。さらに、Ｓ５０２で取得される現在日時から、Ｓ５０３で取得される前回使用日時ｔを減算し、これにより経過時間ｔ’を取得する（Ｓ５０４）。そして、経過時間ｔ’が所定閾値Ｔより大きいか否かを判断する（Ｓ５０５）。そして、経過時間ｔ’が所定閾値Ｔよりも大きい場合には、図１０に示されるリセット処理を実行する。一方で、経過時間ｔ’が所定閾値Ｔ以下である場合には、操作ＩＤが上限に達しているかを判断し（Ｓ５０６）、達していなければ操作ＩＤを１だけ増やし（Ｓ５０７）、再びＳ５０２の処理を実行する。一方、操作ＩＤが上限に達していれば、そのまま処理を終了する。
【００４６】
以上の処理によれば、前回使用日時から所定時間が経過した操作があれば、全ての操作について、前回使用日時及び使用回数ｎを図１０に示す方法によりリセットさせることができる。これにより、優先度ｐの順位に影響を与えることなく、前回使用日時があまり大き過ぎるものにならないようにできる。
【００４７】
図１３は、データリセット部４６によるサブリセット処理を示すフロー図である。同図に示す処理は、図１０乃至図１２で示されるリセット処理とは異なるものであり、これらのリセット処理と同図に示すサブリセット処理とを併存させるようにしてもよいし、いずれか一方のみをデータリセット部４６で行うようにしてもよい。図１３に示すように、サブリセット処理では、まず操作ＩＤを表す変数に００１をセットする（Ｓ６０１）。次に、計時部３８から現在日時を取得する（Ｓ６０２）。続いて、案内データ記憶部４２から、操作ＩＤに対応する前回使用日時ｔを読み出す（Ｓ６０３）。そして、Ｓ６０２で取得される現在日時から、Ｓ６０３で取得される前回使用日時ｔを減算することにより、経過時間ｔ’を算出する（Ｓ６０４）。さらにデータリセット部４６は、案内データ記憶部４２から操作ＩＤに対応する使用回数ｎを読み出す（Ｓ６０５）。そして、上式（２）に示される関係が充足されるか否かを判断する（Ｓ６０６）。そして、満足しない場合には、前回使用日時に、所定初期値、すなわちＳ６０２で取得される現在日時をセットする（Ｓ６０７）。さらに、使用回数ｎとして０をセットする（Ｓ６０８）。一方、Ｓ６０６において、上式（２）に示される関係が充足されると判断する場合には、操作ＩＤが上限に達したか否かを判断し（Ｓ６０９）、上限に達していない場合は、操作ＩＤを１だけ増加させ（Ｓ６１０）、再びＳ６０２の処理を実行する。一方、操作ＩＤが上限に達していれば、そのままサブリセット処理を終了する。
【００４８】
以上説明した携帯電話機１０によれば、各種操作のユーザの実際の利用状況に応じて、各種操作に関する優先順を設定し、それに応じて操作案内を出力することができるようになり、例えばユーザがあまり使用しない操作について、優先的に操作案内をすることができる。
【００４９】
なお、本発明は上記実施形態に限定されるものではない。
【００５０】
例えば、優先度ｐの算出方法は上記方法に限定されず、各種方法により算出することができる。また、案内データの更新時期及び更新方法は上記実施形態に限定されず、種々の方式を採用することができる。また、本発明は携帯電話機への適用に限定されるものではなく、各種移動体端末或いは各種情報処理装置に適応可能である。さらに、表示優先度ｐは使用回数ｎ及び前回使用日時ｔに基づいて算出されるだけでなく、さらに他の変数又は定数にしたがって算出されてもよい。また、ここでは案内データに各操作の前回使用日時を記憶しておくようにしたが、前回使用日時からの経過時間を同欄に記憶させるようにしてもよい。この場合には、制御部１６にて同欄の定期的更新が必要となるが、優先度ｐの算出が速やかに行えるようになるなどのメリットを享受することができる。
【図面の簡単な説明】
【００５１】
【図１】本発明の実施形態に係る携帯電話機（移動体端末）のハードウェア構成を示す図である。
【図２】本発明の実施形態に係る携帯電話機の外観構成を示す斜視図である。
【図３】本発明の実施形態に係る操作案内画面の一例を示す図である。
【図４】本発明の実施形態に係る操作案内画面の一例を示す図である。
【図５】案内データの一例を示す図である。
【図６】優先度テーブルの一例を示す図である。
【図７】本発明の実施形態に係る携帯電話機１０の機能ブロック図である。
【図８】待ち受け画面表示処理を示すフロー図である。
【図９】案内データ更新処理を示すフロー図である。
【図１０】リセット処理を示すフロー図である。
【図１１】優先度更新処理を示すフロー図である
【図１２】リセット判定処理を示すフロー図である。
【図１３】サブリセット処理を示すフロー図である。
【符号の説明】
【００５２】
１０  携帯電話機、１２  入力部、１４  通信部、１６  制御部、１８  記憶部、２０  出力部、２２  ボタン群、２４  液晶表示部、２５  ヒンジ、２６  第１筐体、２８  第２筐体、３０  操作部、３２  筐体開閉検知部、３４  操作処理部、３６  案内部、３８  計時部、４０  データ更新部、４２  案内データ記憶部、４４  表示優先度記憶部、４６  データリセット部。
【図１】
2005244903.tif 000003
【図２】
2005244903.tif 000004
【図３】
2005244903.tif 000005
【図４】
2005244903.tif 000006
【図５】
2005244903.tif 000007
【図６】
2005244903.tif 000008
【図７】
2005244903.tif 000009
【図８】
2005244903.tif 000010
【図９】
2005244903.tif 000011
【図１０】
2005244903.tif 000012
【図１１】
2005244903.tif 000013
【図１２】
2005244903.tif 000014
【図１３】
2005244903.tif 000015